(57)【要約】【課題】グレアを防止するとともに、光源の光軸を含む軸面に対して一方側を照射光量を低下させることなく照明することができる照明器具を提供する。【解決手段】照明器具Ａは楕円の長軸を中心に回転させた回転体の下部を切断開口した形状の主反射板１と、光軸と主反射板１を構成する回転体の楕円の長軸とが一致するように主反射板１内に配置されたランプ２と、ランプ２の光軸を含む軸面１４に対して壁面８と反対側であって主反射板１の下方位置に設けられ、両端が開口した筒状の部材を軸面１４に沿って切断した形状の補助反射板３とを備えている。さらに一端側が封止された円筒を軸面１４に沿って切断した形状に形成され、ランプ２の直射光によるグレアを防止するグレアカットキャップ４が軸面１４に対して補助反射板３と反対側に配設されており、補助反射板３側がランプ２から補助反射板３に照射される光を通すための切欠部１１となっている。【選択図】図１
2007294193.tif 000002
【特許請求の範囲】
【請求項１】
光源からの光を照明方向に反射させる主反射板と、前記光源の光軸を含む軸面に対して一方側に形成され、前記光源からの光及び前記主反射板からの反射光を前記軸面に対して他方側に反射させる補助反射板と、グレアを発生させる前記光源からの直射光を遮光する第１のグレア防止部材とを備え、前記光源から前記補助反射板に向かって照射される光を透過させる第１の透光部を前記第１のグレア防止部材に設けたことを特徴とする照明器具。
【請求項２】
グレアを発生させる前記主反射板からの反射光を遮光する第２のグレア防止部材を備え、前記光源から前記補助反射板に向かって照射される光を透過させる第２の透光部を前記第２のグレア防止部材に設けたことを特徴とする請求項１記載の照明器具。
【発明の詳細な説明】
【技術分野】
【０００１】
本発明は、照明器具に関するものである。
【背景技術】
【０００２】
従来より軒天井に取付けられ、軒下周辺を照らす照明器具があった（例えば特許文献１参照）。この照明器具は光源からの光を反射させて壁面の天井際から床面を照らす主反射板と、主反射板の壁面側の下方位置に配置されて、壁面と反対方向の床面を照らす補助反射板とを備えており、光源の光軸が鉛直方向に対して壁面側に傾斜して配設されている。また光源の近傍には、光源から補助反射板に照射される光のみを遮光する弧状の遮光板が設けられている。この場合、光源から照射された光は直接壁面から床面を照らすとともに主反射板及び補助反射板に向かって照射され、主反射板に向かう光は反射されて壁面の天井際から床面を照らす。一方、補助反射板に向かう光は遮光板により遮光され、その結果補助反射板からの反射光による反射グレアが防止される。しかしこの補助反射板に向かう光は、補助反射板がない場合には直接壁面に照射される光となるため、その分壁面への照射光量が低下していた。
【０００３】
そこで壁面への照射光量を増加させるため、図３に示すようにランプ２の光軸を含む軸面１４に対して壁面８と反対側に補助反射板３を設けた照明器具Ａが提案されている。この場合、ランプ２から照射された光は直接壁面８の上方から床面（図示せず）を照らすとともに主反射板１及び補助反射板３にも入射される。また主反射板１からの反射光は壁面８の上方から床面を照らすとともに補助反射板３にも入射される。そしてランプ２及び主反射板１から補助反射板３に入射した光は反射して壁面８の上方を照らす。
【特許文献１】特開平５−３４７１０５号公報（第２頁−第３頁、及び、第１図−第２図）
【発明の開示】
【発明が解決しようとする課題】
【０００４】
上述の図３に示す照明器具Ａでは、補助反射板３を設けることで壁面８を明るく照明することができるが、ランプ２からの直射光及び主反射板１からの反射光によりグレアが発生するという問題があった。
【０００５】
ところでグレアを防止する照明器具Ａとしては、従来より図４（ａ）に示すようにグレアを防止するためのルーバー６を主反射板１の下方位置に設けたものが提案されている。ルーバー６は図４（ｂ）に示すように、両端が開口した外径が異なる３つの筒状の部材を光源を中心として同心に配置してある。
【０００６】
このルーバー６を図３に示す照明器具Ａの主反射板１と補助反射板３との間に設けると、主反射板１の反射光による反射グレアを防止することができる。しかしこの場合、グレアを発生させる主反射板１からの反射光を遮光するだけでなく、補助反射板３に向かって照射されるランプ２からの光及び主反射板１からの反射光も一部遮ってしまい、補助反射板３による壁面８の上方への照射光量が低下するという問題があった。またランプ２からの直射光によるグレアも解消されなかった。
【０００７】
本発明は上記問題点に鑑みて為されたものであり、その目的とするところはグレアを防止するとともに、光源の光軸を含む軸面に対して一方側を照射光量を低下させることなく照明することができる照明器具を提供することにある。
【課題を解決するための手段】
【０００８】
請求項１の発明は、光源からの光を照明方向に反射させる主反射板と、光源の光軸を含む軸面に対して一方側に形成され、光源からの光及び主反射板からの反射光を軸面に対して他方側に反射させる補助反射板と、グレアを発生させる光源からの直射光を遮光する第１のグレア防止部材とを備え、光源から補助反射板に向かって照射される光を透過させる第１の透光部を第１のグレア防止部材に設けたことを特徴とする。
【０００９】
請求項２の発明は、グレアを発生させる主反射板からの反射光を遮光する第２のグレア防止部材を備え、光源から補助反射板に向かって照射される光を透過させる第２の透光部を第２のグレア防止部材に設けたことを特徴とする。
【発明の効果】
【００１０】
請求項１の発明によれば、グレアを発生させる光源からの直射光が第１のグレア防止部材により遮光されるので、光源からの直射光によるグレアを防止することができるという効果がある。また第１のグレア防止部材に第１の透光部を設けることで、光源から補助反射板に向かって照射される光が透光部を透過し補助反射板に入射されるので、光源の光軸を含む軸面に対して補助反射板と反対側への照射光量を増加させることができ、軸面に対して補助反射板と反対側を照射光量を低下させることなく照明することができるという効果がある。したがってこの照明器具を壁際の天井面に設置した場合には、壁面への照射光量を増加させることができ、効率よく壁面を照らすことができるという効果がある。
【００１１】
請求項２の発明によれば、グレアを発生させる主反射板からの反射光が第２のグレア防止部材により遮光されるので、主反射板からの反射光による反射グレアを防止することができるという効果がある。また第２のグレア防止部材に第２の透光部を設けることで、光源から補助反射板に向かって照射される光が透光部を透過し補助反射板に入射されるので、光源の光軸を含む軸面に対して補助反射板と反対側への照射光量を増加させることができ、軸面に対して補助反射板と反対側を照射光量を低下させることなく照明することができるという効果がある。したがってこの照明器具を壁際の天井面に設置した場合には、壁面への照射光量を増加させることができ、効率よく壁面を照らすことができるという効果がある。
【発明を実施するための最良の形態】
【００１２】
以下に本発明の実施の形態を図１及び図２に基づいて説明する。本発明に係る照明器具Ａは図１に示すように壁際の天井面７に取付けられ、壁面８の天井際から床面（図示せず）を照らすために用いられる。
【００１３】
まず照明器具Ａは、図１（ａ）に示すように楕円の長軸を中心に回転させた回転体の下部を切断開口した形状の主反射板１と、光軸と主反射板１を構成する回転体の楕円の長軸とが一致するように主反射板１内に配置されたランプ２と、ランプ２の光軸を含む軸面１４に対して壁面８と反対側であって主反射板１の下方位置に設けられ、両端が開口した筒状の部材を図１（ｂ）に示すように軸面１４に沿って切断した形状の補助反射板３とが取付けられた器具本体９を備えている。そして器具本体９は天井面７に設けた開口部から天井裏に収納取付され、さらに蓋１０が器具本体９の開口部に取付けられている。そして蓋１０には光を透過させる透光窓（図示せず）が設けられており、この透光窓から光が照射される。
【００１４】
次に本発明に係るグレアカットキャップ４（第１のグレア防止部材）について説明する。グレアカットキャップ４は、図１（ｂ）に示すように一端側が封止された円筒を軸面１４に沿って切断した形状に形成されている。そして光軸とグレアカットキャップ４を構成する円筒の中心軸とが一致するように軸面１４に対して補助反射板３と反対側に配設することで、軸面１４に対して補助反射板３側が切欠部１１（第１の透光部）となる。
【００１５】
ここで、この照明器具Ａを点灯させた場合について図１（ａ）に基づいて説明する。ランプ２からの光は、主反射板１及び補助反射板３に向かって照射されるとともに壁面８及び床面に向かって照射されるが、床面に直接照射される光はグレアカットキャップ４により遮光されるので、直射光によるグレアが防止される。また主反射板１に向かって照射された光は、壁面８から床面を照らすとともに補助反射板３にも入射される。そしてランプ２及び主反射板１から補助反射板３に向かって照射された光は、グレアカットキャップ４の切欠部１１を通って補助反射板３に入射され、入射した光は補助反射板３で反射して壁面８の天井際周辺を照らす。
【００１６】
上述の照明器具Ａでは、グレアカットキャップ４を設けることによりランプ２から直接床面に照射される光が遮光されるので、ランプ２からの直射光によるグレアを防止することができる。またグレアカットキャップ４に軸面１４に対して補助反射板３側に切欠部１１を設けることで、ランプ２から補助反射板３に向かって照射された光が切欠部１１を通って補助反射板３に入射され、入射した光は補助反射板３で反射して壁面８の天井際周辺を照らすので、壁面８への照射光量を増加させることができ、照射光量を低下させることなく壁面８を照らすことができる。
【００１７】
ところで図１に示す照明器具Ａでは、主反射板１からの反射光による反射グレアを十分に防ぐことができないため、図２（ａ）に示すような反射グレアを防止するグレアカットルーバー５，６（第２のグレア防止部材）を設けることも好ましい。グレアカットルーバー５，６は、図２（ｂ）に示すように両端が開口した外径が異なる２種類の円筒を軸面１４に沿って切断した形状に形成され、軸面１４に対して補助反射板３と反対側に配設することで、補助反射板３側に開口部１２，１３（第２の透光部）が形成される。またグレアカットルーバー５はグレアカットキャップ４の外周面に沿って取付けられており、グレアカットルーバー６はランプ２を中心としてグレアカットキャップ４及びグレアカットルーバー５と同心に取付けられている。
【００１８】
ここで、この照明器具Ａを点灯させた場合について図２（ａ）に基づいて説明する。ランプ２からの光は、主反射板１及び補助反射板３に向かって照射されるとともに壁面８及び床面に向かって照射されるが、床面に直接照射される光はグレアカットキャップ４により遮光されるので、直射光によるグレアが防止される。また主反射板１に向かって照射された光は、補助反射板３、壁面８及び床面に向かって照射されるが、床面に直接照射される光は、グレアカットルーバー５，６により遮光されるので、反射光による反射グレアが防止される。そしてランプ２及び主反射板１から補助反射板３に向かって照射された光は、グレアカットキャップ４の切欠部１１及びグレアカットルーバー５，６の開口部１２，１３を通って補助反射板３に入射され、入射した光は補助反射板３で反射して壁面８の天井際周辺を照らす。
【００１９】
この照明器具Ａでは、グレアカットルーバー５，６を設けることにより主反射板１から床面に照射される光が遮光されるので、ランプ２からの光によるグレアに加えて、主反射板１からの反射光による反射グレアも防止することができる。またグレアカットルーバー５，６に軸面１４に対して補助反射板３側にそれぞれ開口部１２，１３を設けることで、ランプ２から補助反射板３に向かって照射された光が開口部１２，１３を通って補助反射板３に入射され、入射した光は補助反射板３で反射して壁面８の天井際を照らすので、壁面８への照射光量を増加させることができ、照射光量を低下させることなく壁面８を照らすことができる。
【００２０】
尚、本実施形態では、照明器具Ａを壁際の天井面７に取付け、壁面８を照らす場合を例に説明したが、照明器具Ａの用途については本実施形態に限定されるものではなく、軸面１４に対して補助反射板３と反対側への照射光量を増加させた照明器具Ａを実現できる。また本実施形態では、ランプ２から補助反射板３に向かって照射される光を通す第１及び第２の透光部をグレアカットキャップ４の一部を切り欠いた切欠部１１やグレアカットルーバー５，６に設けた開口部１２，１３で構成しているが、光を通すための構造は本実施形態に限定されるものではなく、光を透過させる部材で構成してもよい。さらにグレア防止部材及び透光部の形状も、本実施形態に限定されるものではなく、照明器具の形状に合わせて適宜設計すればよい。
【図面の簡単な説明】
【００２１】
【図１】（ａ）は本実施形態の照明器具を天井面に取付けた状態の断面図である。（ｂ）は同上の照明器具の補助反射板及び第１のグレア防止部材を下側から見た平面図である。
【図２】（ａ）は同上の他の照明器具を天井面に取付けた状態の断面図である。（ｂ）は同上の他の照明器具の補助反射板及び第１，２のグレア防止部材を下側から見た平面図である。
【図３】従来例の照明器具を天井面に取付けた状態の断面図である。
【図４】（ａ）は従来例の他の照明器具の断面図である。（ｂ）は従来例の他の照明器具のルーバーを下側から見た平面図である。
【符号の説明】
【００２２】
１          主反射板
２          ランプ（光源）
３          補助反射板
４          グレアカットキャップ（第１のグレア防止部材）
１１        切欠部（第１の透光部）
１４        軸面
Ａ          照明器具
【図１】
2007294193.tif 000003
【図２】
2007294193.tif 000004
【図３】
2007294193.tif 000005
【図４】
2007294193.tif 000006